(57)【要約】【課題】  被測定物の芯温を正確に検出する芯温検出装置、及び、芯温検出方法を提供する。【解決手段】  芯温検出装置１０は、食材の表面内部に接触される温度センサ２０により計測される食材の温度の変動が、ある時刻から所定時間Ｔ秒の間、前記ある時刻における温度に対して所定範囲Δｔ℃内の変動である場合に、ある時刻から所定時間Ｔ秒が経過した時刻における温度を、芯温と判定する。【選択図】  図１
2005241593.tif 000002
【特許請求の範囲】
【請求項１】
被測定物の芯温を検出する芯温検出装置において、
前記被測定物の表面より内部に接触されて該被測定物の温度を測定する温度センサと、
前記温度センサにより計測される温度の変動が、ある時刻から所定時間の間、前記ある時刻における温度に対して所定範囲内の変動である場合に、前記ある時刻から前記所定時間が経過した時刻までの何れかの時刻における温度を、前記被測定物の芯温と判定する芯温判定手段と
を備えることを特徴とする芯温検出装置。
【請求項２】
前記ある時刻から前記所定時間が経過した時刻までの全ての温度が常温より高い場合に、前記何れかの時刻における温度を、前記被測定物の芯温と判定することを特徴とする請求項１に記載の芯温検出装置。
【請求項３】
前記芯温判定手段により芯温と判定された温度を表す芯温データを、予め設けられた複数の記憶領域のうちの未使用領域に記憶する記憶手段と、
前記記憶手段により記憶された芯温データを、所定の周期で、外部装置に送信する送信手段と、
前記外部装置より前記芯温データの受信が完了したことを示すデータを受信したことに応答して、該芯温データが記憶された記憶領域を前記未使用領域に戻すクリア手段と
をさらに備えることを特徴とする請求項１に記載の芯温検出装置。
【請求項４】
被測定物の芯温を検出する芯温検出方法において、
前記被測定物の表面より内部に接触される温度センサが計測した該被測定物の温度を、所定の周期で収集する収集ステップと、
前記収集ステップにおいて収集された複数の温度の温度差が、所定時間連続して所定範囲内の温度差であるか否かを判定する温度変動判定ステップと、
前記温度変動判定ステップにおいて、前記温度差が所定時間連続して所定温度範囲内であると判定された場合には、前記所定時間が、予め定められた継続時間以上の長さであるか否かを判定する継続時間判定ステップと、
前記継続時間判定ステップにおいて前記所定時間が前記継続時間以上の長さであると判定された場合には、前記温度変動判定ステップにおいて連続して所定範囲内の温度差であると判定された温度のうちの何れかの温度を、前記被測定物の芯温と判定する芯温判定ステップと
を有することを特徴とする芯温検出方法。
【発明の詳細な説明】
【技術分野】
【０００１】
本発明は、被測定物の芯温を検出する芯温検出装置、及び、芯温検出方法に関する。
【背景技術】
【０００２】
加工食品を生産する食品工場においては、生産ラインにおける各工程の衛生管理や品質管理を厳格に実施して、食中毒や品質低下等の危害が発生するのを未然に防止する必要がある。
近年、食品の安全性を確保するための管理システムとして、多くの食品会社において、ＨＡＣＣＰ（Hazard Analysis Critical Control Point 危険分析・重要管理点）が導入されている。ＨＡＣＣＰとは、加工食品を生産する過程において、発生する可能性のある危害を分析し、その危害の発生を制御するための処置方法の基準をつくり、「いつ」、「どこで」、「だれが」、「何の目的で」、「どの基準にしたがって」、「どのような作業を行ったのか」を記録して証拠書類として残しておく衛生管理手法である。ＨＡＣＣＰを導入している企業においては、各種作業や測定値を記録、管理しておく必要がある。
【０００３】
例えば、ＨＡＣＣＰにおける管理項目が加工過程の食材の芯温である場合には、調理員は、食材の中心部まで温度センサを刺して、その温度センサで測定される温度の表示値が安定するまで待ち、安定したときの温度を芯温と判断していた。調理員は、当該芯温と判断した温度が、適正な値であるかどうかを確認した上で、食材の加工を進めていた（例えば、特許文献１参照）。また、他の芯温を管理する方法としては、芯温計によって測定された芯温のデータを生産監視装置に伝送し、芯温が予め設定された上下限値の範囲を超えている場合に警報を発することにより、加工食品に不良品が発生することを防止する技術が開示されている（例えば、特許文献２）。
【特許文献１】特開２００２−２２２２４８号公報（図４１、図４２、図４５）
【特許文献２】特開２００１−２３８６１４号公報（段落００４２）
【発明の開示】
【発明が解決しようとする課題】
【０００４】
しかしながら、このような特許文献１に記載されている従来技術においては、芯温であるかどうかの判定と、その芯温値が適正であるかどうかの判断とが、調理員個々人に委ねられているために、ばらつきや誤判定の可能性があった。また、芯温測定の時刻と測定値とが必ずしも調理員によって記録されないために、調理時の温度管理が適正に行われていたかどうかを調理後に過去に遡って検証することが難しいという問題点があった。
【０００５】
また、特許文献２に記載されている従来技術においては、調理員の判断によらず芯温計によって芯温が測定されてはいるが、当該芯温計が芯温を検出する方法や検出された芯温データの生産監視装置への伝送方法が開示されておらず、これらの検出方法や伝送方法によっては、芯温を正確に測定、記録管理できない場合が発生する。
本発明は、このような実情に鑑みてなされたものであり、その目的は、被測定物の芯温を正確に検出する芯温検出装置、及び、芯温検出方法を提供することである。
【課題を解決するための手段】
【０００６】
上記課題を解決するために、請求項１に記載の発明は、被測定物の芯温を検出する芯温検出装置において、前記被測定物の表面より内部に接触されて該被測定物の温度を測定する温度センサと、前記温度センサにより計測される温度の変動が、ある時刻から所定時間の間、前記ある時刻における温度に対して所定範囲内の変動である場合に、前記ある時刻から前記所定時間が経過した時刻までの何れかの時刻における温度を、前記被測定物の芯温と判定する芯温判定手段とを備えることを特徴とする芯温検出装置を提供することを特徴とする。
【０００７】
請求項１に記載の発明によれば、芯温検出装置は、温度センサにより計測される温度の変動が、ある時刻から所定時間の間、前記ある時刻における温度に対して所定範囲内の変動である場合に芯温を判定するようにしたため、被測定物の芯温を正確に検出することができる。また、前記ある時刻から所定範囲内の温度が長時間継続しても、前記ある時刻から前記所定時間が経過した時点においてのみ、芯温を判定するようにしたために、芯温検出装置は、何度も所定範囲内の温度を芯温と判定することがない。
【０００８】
請求項２に記載の発明は、請求項１に記載の芯温検出装置において、前記ある時刻から前記所定時間が経過した時刻までの全ての温度が常温より高い場合に、前記何れかの時刻における温度を、前記被測定物の芯温と判定することを特徴とする。
請求項２に記載の発明によれば、芯温検出装置が、ある時刻から所定時間が経過した時刻までの全ての温度が常温より高い場合に芯温を判定するようにしたために、芯温検出装置は、常温を芯温と誤判定することがなくなり、被測定物の芯温を正確に検出することができる。
【０００９】
請求項３に記載の発明は、請求項１に記載の芯温検出装置において、前記芯温判定手段により芯温と判定された温度を表す芯温データを、予め設けられた複数の記憶領域のうちの未使用領域に記憶する記憶手段と、前記記憶手段により記憶された芯温データを、所定の周期で、外部装置に送信する送信手段と、前記外部装置より前記芯温データの受信が完了したことを示すデータを受信したことに応答して、該芯温データが記憶された記憶領域を前記未使用領域に戻すクリア手段とをさらに備えることを特徴とする。
【００１０】
請求項３に記載の発明によれば、芯温検出装置は、芯温データを未使用の記憶領域に記憶しておき、所定の周期で、記憶しておいた芯温データを外部装置に送信するため、所定の周期が長い場合にも、芯温と判定された複数の芯温データを未使用領域に記憶しておき、所定の周期で、記憶しておいた複数の芯温データを一括して外部装置に送信することができる。また、芯温検出装置は、外部装置より芯温データの受信が完了したことを示すデータを受信したときに、芯温データが記憶された記憶領域を未使用領域に戻し、当該領域を再度芯温データの記憶に使用することができるため、記憶領域を有効に利用することができる。外部装置は、芯温検出装置より所定の周期で芯温データを受信することにより、正確な芯温データを、記録・管理することができる。
【００１１】
請求項４に記載の発明は、被測定物の芯温を検出する芯温検出方法において、前記被測定物の表面より内部に接触される温度センサが計測した該被測定物の温度を、所定の周期で収集する収集ステップと、前記収集ステップにおいて収集された複数の温度の温度差が、所定時間連続して所定範囲内の温度差であるか否かを判定する温度変動判定ステップと、
前記温度変動判定ステップにおいて、前記温度差が所定時間連続して所定温度範囲内であると判定された場合には、前記所定時間が、予め定められた継続時間以上の長さであるか否かを判定する継続時間判定ステップと、前記継続時間判定ステップにおいて前記所定時間が前記継続時間以上の長さであると判定された場合には、前記温度変動判定ステップにおいて連続して所定範囲内の温度差であると判定された温度のうちの何れかの温度を、前記被測定物の芯温と判定する芯温判定ステップとを有することを特徴とする芯温検出方法を提供する。
請求項４に記載の発明によれば、所定の周期毎に収集された被測定物の温度の温度差が、予め定められた継続時間以上、所定範囲内の温度差であった場合に芯温を判定する手順としたしたため、被測定物の芯温を正確に検出することができる。
【発明の効果】
【００１２】
以上説明したように、芯温検出装置は、温度センサにより計測される温度の変動が、ある時刻から所定時間の間、ある時刻における温度に対して所定範囲内の変動である場合に、芯温を判定するようにしたため、被測定物の芯温を正確に検出することができる。
また、芯温検出装置は、芯温データを未使用領域に記憶しておき、所定の周期で、記憶しておいた芯温データを外部装置に送信するようにしたため、所定の周期が長い場合にも、芯温と判定された複数の芯温データを未使用領域に記憶しておき、所定の周期で、複数の芯温データを一括して外部装置に送信することができる。また、芯温検出装置は、外部装置より芯温データの受信が完了したことを示すデータを受信したときに、芯温データが記憶された領域を未使用領域に戻すことにより、再び芯温データを記憶する領域として使用することができるため、記憶領域を有効に利用することができる。外部装置は、芯温検出装置より芯温データを所定の周期で受信することにより、正確な芯温データを、記録・管理することができる。
【発明を実施するための最良の形態】
【００１３】
次に、図面を参照しながら、本発明の実施の形態について説明する。なお、以下の説明において参照する各図においては、他の図と同等部分に同一符号が付されている。
［１．構成］
まず、本発明の実施形態に係る構成について説明する。
［１．１．全体構成］
図１は、本発明の実施形態に係る芯温測定システム１全体の構成を示すブロック図である。同図に示すように、この芯温測定システム１は、芯温を検出する芯温検出器１０と、当該芯温検出器１０に接続された温度センサ２０と、芯温データを記録・管理する芯温管理装置３０と、芯温検出器１０及び芯温管理装置３０を接続するネットワーク４０とを備えている。
同図においては、ひとつの芯温検出器１０と、ひとつの温度センサ２０とを図示しているが、実際には複数存在する。ネットワーク４０は、例えば、分散制御ネットワーク環境を構築する技術であるＬｏｎｗｏｒｋｓ（ロンワークス；登録商標）を利用したネットワークである。
【００１４】
［１．２．温度センサ］
温度センサ２０は、被測定物の芯温を測定するためのセンサである。ここで、芯温とは、被測定物における中心部の温度である。
温度センサ２０は、被測定物の表面から中心部に向かって刺すことができるように、細長い針状の構造となっている。例えば、被測定物が食材である場合には、調理員は、回転釜、スチームコンベクションオーブン、連続揚げ物機、及び、鍋等の調理器具によって調理する過程や仕上げ段階において、温度センサ２０を食材の表面から中心部まで突き刺す。これにより、温度センサ２０は、食材の表面内部に接触した状態で、当該接触した部分の温度を測定する。
【００１５】
食材を加熱調理する場合には、加熱されている食材の表面付近の温度に比べて、中心部の温度は低い。このため、温度センサ２０を食材の表面から中心部まで刺した場合に、当該温度センサ２０で測定される温度の変化は、例えば、図２に示すグラフのようになる。
同図において「開始」で示されている部分では温度が急激に変化しているが、当該部分の温度変化は、温度センサ２０を食材の表面に刺し始めたときの温度変化である。その後、温度が一定の範囲内で推移しているが、このときの温度変化は、温度センサ２０が食材の中心部に達しているときの温度変化である。当該一定の範囲内で安定している温度が芯温である。
【００１６】
図３には、温度センサ２０により測定される温度変化の実験例を示す。
図３（ａ）は、温度センサ２０を、加熱調理されている食材に刺してから所定時間後に抜いたときの温度変化を示すグラフである。
図３（ｂ）は、まず、温度センサ２０を、湯の中で煮ているジャガイモに刺してから、所定時間後に抜いて湯から出し、その後、再び、温度センサ２０をジャガイモに刺し、所定時間後に抜いて湯から出したときの温度変化を示すグラフである。同図に示すように、一定時間以上９０℃付近の温度で推移する部分は２ケ所存在する。当該部分の温度がジャガイモの芯温である。
【００１７】
図３（ｃ）は、まず、温度センサ２０を、湯の中で煮ているジャガイモに刺してから、所定時間後に抜いて湯にいれたままにしておき、その後、再び、温度センサ２０をジャガイモに刺し、所定時間後に抜いて湯から出したときの温度変化を示すグラフである。同図に示すように、一定時間以上安定した温度で推移する部分は３ケ所存在するが、グラフの中央部分の温度は湯の温度であり、それ以外の２ケ所の温度がジャガイモの芯温である。
【００１８】
［１．３．芯温検出器］
次に、芯温検出器１０について説明する。芯温検出器１０は、温度センサ２０で計測される温度に基づいて芯温を検出する装置である。芯温検出器１０は、例えば、食品工場において、１種類の食品を大量に加熱調理している最中や仕上げ段階で、サンプルとなる食品の芯温測定を複数回行う場合に用いられる。
【００１９】
芯温検出器１０は、通常のコンピュータのハードウェア構成を備えている。すなわち、芯温検出器１０は、芯温検出器１０を制御するＣＰＵ（Central Processing Unit）と、ＲＯＭ（Read Only Memory）、ＲＡＭ（Random Access Memory）、及び、ハードディスク装置を含む記憶部と、利用者が各種データを入力するための操作ボタンを備えた入力部と、ネットワーク４０を介して芯温管理装置３０とのデータの授受を制御するネットワークインターフェースとを備えている。
【００２０】
芯温検出器１０の記憶部には、図１に示すように、芯温検出部と芯温記憶部とが設けられている。芯温検出部には、芯温を検出する際に用いられる変数が記憶される。変数としては、以下の種類がある。
（１）芯温判定有効温度：ｎ℃以上（実数値：設定可能範囲0.0〜100.0℃  小数点以下第一位まで設定）
（２）継続時間：Ｔ秒（整数値：設定可能範囲1〜10秒）
（３）温度変動：±Δｔ℃（実数値：設定可能範囲0.0〜10.0℃  小数点以下第一位まで設定）
【００２１】
図４に示すように、芯温検出器１０は、温度センサ２０で測定される温度がしきい値ｎ℃以上であり、かつ、温度変動が、Ｔ秒の間継続して温度変化Δｔ℃以内で安定しているときに、当該安定している温度を芯温と判定する。なお、しきい値ｎ℃が設けられているのは、芯温検出器１０は芯温測定時以外には調理場等の常温の場所に置かれており、温度センサ２０で測定される温度は常温で安定しているため、芯温検出器１０が当該常温を芯温と判定するのを回避するためである。ここで、常温とは、加熱や冷却を行っていない温度をいう。これらの変数は、調理の形態（煮る、炒める、揚げるなど）や食材の特性に合わせて、最適な値が芯温検出器１０の入力部より入力される。
【００２２】
また、芯温記憶部には、芯温検出器１０によって検出された芯温データを格納するための領域である「芯温ｉ」（ｉは整数）と、当該「芯温ｉ」を格納する領域が使用中であるか否かを表すデータを格納するための領域である「芯温検出状態ｉ」が、ｎ個（ｎは整数；１≦ｉ≦ｎ）設けられている。「芯温検出状態ｉ」は１ビットの領域であり、“０”または“１”を表すデータが格納される。以下、ｎ個の「芯温検出状態１」、「芯温検出状態２」、・・・、「芯温検出状態ｎ」で構成されるｎビットの領域を、「芯温検出状態１〜ｎ」と表す。「芯温検出状態１〜ｎ」の上位からｉビット目に“１”が格納されているということは、「芯温検出状態ｉ」に“１”が格納されていることを表す。また、このことは、「芯温ｉ」が使用中状態であることを表している。
【００２３】
また、記憶部には、各種プログラムが記憶されている。各種プログラムの中には、本発明に特徴的な、芯温を検出するためのプログラムが含まれている。芯温検出器１０のＣＰＵが、記憶部よりこれらのプログラムを読み出して実行することにより、図５に示す芯温判定手段１０１と、記憶手段１０２と、送信手段１０３と、クリア手段１０４とが実現される。
【００２４】
芯温判定手段１０１は、温度センサ２０により計測される被測定物の温度変動が、ある時刻からＴ秒間の間、ある時刻における温度に対して±Δｔ℃以内の変動である場合に、当該ある時刻からＴ秒が経過した時刻における温度を、被測定物の芯温と判定する。
記憶手段１０２は、芯温判定手段１０１により芯温と判定された温度データを、芯温記憶部に設けられている「芯温１」、「芯温２」、・・・、「芯温ｎ」（以下、「芯温１〜ｎ」と表す）のｎ個の記憶領域のうち、未使用の領域に記憶する。ここでは、未使用であることは、「芯温ｉ」と対応する「芯温検出状態ｉ」に格納されたビットの値が“０”であることによって判定される。
【００２５】
送信手段１０３は、芯温記憶部の「芯温１〜ｎ」と「芯温検出状態１〜ｎ」とを含んだ芯温通知データを、１分の周期で、外部装置である芯温管理装置３０に送信する。
クリア手段１０４は、芯温管理装置３０より芯温通知データの受信完了を通知するための完了データが送信されてきた場合に、当該完了データに基づいて、使用状態となっている「芯温ｉ」の領域を未使用状態に戻す。具体的には、クリア手段１０４は、完了データに含まれる指示の内容に基づいて、該当する「芯温検出状態ｉ」に“０（未使用状態）”を格納する。
【００２６】
［１．４．芯温管理装置］
次に、芯温管理装置３０の構成について説明する。芯温管理装置３０は、一般的なサーバのハードウェア構成を備えている。
芯温管理装置３０の記憶部には、芯温検出器１０より受信した芯温通知データに含まれる情報を格納するための管理データベースが設けられている。また、芯温管理装置３０の記憶部には、「芯温クリア信号ｉ」を記憶する領域が、芯温検出器１０の芯温記憶部に設けられている領域数“ｎ”と同数設けられている。「芯温クリア信号ｉ」は１ビットの領域であり、“０”または“１”を表すデータが格納される。「芯温クリア信号ｉ」に格納されているデータが“１”である場合には、当該「芯温クリア信号ｉ」が芯温検出器１０に送信されると、芯温検出器１０のクリア手段１０４によって「芯温検出状態ｉ」を“０（未使用状態）”に戻す処理が行われる。以下、ｎ個の「芯温クリア信号１」、「芯温クリア信号２」、・・・、「芯温クリア信号ｎ」で構成されるｎビットの領域を、「芯温クリア信号１〜ｎ」と表す。
【００２７】
また、芯温管理装置３０の記憶部には、各種プログラムが記憶されている。各種プログラムには、本発明に特徴的な、芯温検出器１０より受信した芯温通知データに基づいて、管理データベースに芯温データを格納するためのプログラムや、芯温検出器１０の芯温記憶部の「芯温ｉ」を未使用領域に戻すための完了データを送信するためのプログラムが含まれている。
【００２８】
芯温管理装置３０のＣＰＵは、上記プログラムを実行することにより、以下の処理を行う。すなわち、芯温管理装置３０のＣＰＵは、１分周期で芯温検出器１０より送信されてくる芯温通知データを受信する。そして、芯温管理装置３０のＣＰＵは、受信してから１分の間に、芯温通知データに含まれる「芯温検出状態１〜ｎ」のビットのうち“１（使用中状態）”であるものを検索する。検索した結果、“１”の芯温検出状態ｉが存在した場合には、芯温管理装置３０のＣＰＵは、当該「芯温検出状態ｉ」に対応する「芯温値ｉ」を、受信した芯温通知データより取得する。そして、芯温管理装置３０のＣＰＵは、当該取得した「芯温値ｉ」と現在時刻とを、管理データベースに格納する。なお、このときに「芯温クリア信号ｉ」に“１（クリア）”が格納されていた場合には、芯温管理装置３０のＣＰＵは、「芯温値ｉ」を取得対象から外す。
次の１分の間に、芯温管理装置３０のＣＰＵは、“１”の芯温検出状態ｉに対応する「芯温クリア信号ｉ」に、“１（クリア）”を格納する。そして、芯温管理装置３０のＣＰＵは、「芯温クリア信号１〜ｎ」を含んだ完了データを、芯温検出器１０に送信する。
【００２９】
［１．４．データの入出力］
図６には、芯温検出器１０と芯温管理装置３０との間におけるデータの入出力を説明するための図を示す。
芯温検出器１０には、しきい値ｎ℃と温度変動Δｔ℃と継続時間Ｔ秒とが、入力部より入力される。
芯温検出器１０からは、１分周期で、「芯温検出状態１〜ｎ」と「芯温１〜ｎ」とが出力される。芯温検出器１０より出力された、「芯温検出状態１〜ｎ」と「芯温１〜ｎ」とは、ネットワーク４０を経由して、芯温管理装置３０に送信される。また、芯温検出器１０には、１分周期で、芯温管理装置３０からネットワーク４０を介して送信された、「芯温クリア１〜ｎ」が入力される。
【００３０】
芯温管理装置３０には、１分周期で、芯温検出器１０からネットワーク４０を介して送信された、「芯温検出状態１〜ｎ」と「芯温１〜ｎ」とが入力される。また、芯温管理装置３０からは、１分周期で、「芯温クリア信号１〜ｎ」が出力される。出力された「芯温クリア信号１〜ｎ」は、ネットワーク４０を経由して芯温検出器１０に送信される。
以上の１分周期での入出力を繰り返すことにより、芯温管理装置３０は、芯温検出器１０より芯温データを収集することが可能となる。
【００３１】
［１．５．芯温判定処理］
次に、図７を参照しながら、芯温検出器１０の芯温判定手段１０１により、１秒周期で実行される芯温判定処理について説明する。
当該芯温判定処理を行うにあたって、「芯温判定有効温度ｎ」℃と「継続時間Ｔ」秒と「温度変動Δｔ」℃とを表す値は、入力部より入力されて芯温検出部に記憶されているものとする。また、ここでは、変数「判定開始温度」と「現在温度」と「継続温度」を用いるが、当該変数には、初期値として“０”が設定されている。
【００３２】
芯温判定手段１０１は、１秒周期で温度センサ２０より計測された温度データを収集し、当該温度データが表す温度である「芯温対象温度」に基づいて、以下の芯温判定処理を行う。
まず、芯温判定手段１０１は、「芯温対象温度」と、予め設定された「芯温判定有効温度ｎ」とを比較する（ステップＳ１０１）。比較した結果、「芯温対象温度」が「芯温判定有効温度ｎ」に満たない場合には（ステップＳ１０１；Ｎｏ）、「判定開始温度」と「現在温度」とに「芯温対象温度」を設定し、かつ、「継続回数」に“０”を設定して（ステップＳ１０２）、処理を終了する。
【００３３】
一方、「芯温対象温度」≧「芯温対象有効温度ｎ」である場合には（ステップＳ１０１；Ｙｅｓ）、芯温判定手段１０１は、「現在温度」に「芯温対象温度」を設定する（ステップＳ１０３）。次に、芯温判定手段１０１は、「現在温度」が、「判定開始温度」に対して「温度変動Δｔ」の範囲内の温度であるか否かを判定する（ステップＳ１０４）。
【００３４】
「現在温度」が、「判定開始温度」に対して「温度変動Δｔ」の範囲内の温度でない場合には（ステップＳ１０４；Ｎｏ）、芯温判定手段１０１は、「現在温度」が芯温ではないと判定して、「判定開始温度」に「現在温度」を設定し、かつ、「継続回数」に“０”を設定して（ステップＳ１０５）、処理を終了する。
一方、「現在温度」が、「判定開始温度」に対して「温度変動Δｔ」の範囲を超えた温度である場合には（ステップＳ１０４；Ｙｅｓ）、芯温判定手段１０１は「継続回数」に“１”を加算する（ステップＳ１０６）。
【００３５】
次に、芯温判定手段１０１は、「判定開始温度」と「芯温判定有効温度ｎ」とを比較する（ステップＳ１０７）。「判定開始温度」が「芯温判定有効温度ｎ」を下回っている場合には（ステップＳ１０７；Ｙｅｓ）、芯温判定手段１０１は、「判定開始温度」に「現在温度」を設定し、かつ、「継続回数」に“０”を設定して（ステップＳ１０５）、処理を終了する。
【００３６】
一方、「判定開始温度」≧「芯温判定有効温度ｎ」である場合には（ステップＳ１０７；Ｙｅｓ）、芯温判定手段１０１は、「継続回数」と予め設定された「継続時間Ｔ」との値が一致するか否かを比較する（ステップＳ１０８）。「継続回数」と「継続時間Ｔ」との値が一致しない場合には（ステップＳ１０８；Ｎｏ）、芯温判定手段１０１は処理を終了する。一方、「継続回数」と「継続時間」との値が一致する場合には（ステップＳ１０８；Ｙｅｓ）、芯温判定手段１０１は、「現在温度」が芯温であると判定して、芯温処理を行う（ステップＳ１０９）。
【００３７】
次に、ステップＳ１０９で行われる芯温処理について説明する。
芯温検出器１０は、芯温記憶部の「芯温検出状態１〜ｎ」に格納されているビットのうち、“０（未使用状態）”であるものを検索する。芯温検出器１０は、「芯温検出状態１〜ｎ」に格納されているビットのうち、“０”のビットが存在した場合には、記憶手段１０２により、“０”のビットが格納されている「芯温検出状態ｉ」に対応する「芯温ｉ」に、芯温と判定された「現在温度」を格納する。そして、芯温検出器１０は、対応する「芯温検出状態ｉ」に“１（使用中状態）”を格納する。
【００３８】
なお、芯温検出器１０は、「芯温検出状態１〜ｎ」のビットのうち、“０”のビットが存在しない（未使用状態の領域が１つもない）場合、処理を終了する。
また、芯温検出器１０は、伝送異常等によって、温度センサ２０より「芯温対象温度」が正常に取得できなかった場合には、「芯温対象温度」に基づいて芯温判定処理を行うことができないため、「継続回数」に“０”を設定して処理を終了する。［２．動作］
【００３９】
次に、図７〜９を参照しながら、上記構成における動作について説明する。
ここでは、食品会社の調理員が、調理場において、複数のジャガイモを湯で煮ている途中に、三つのジャガイモ各々に温度センサ２０を刺したときの動作について説明する。
前提として、常温は２５℃であるものとする。また、芯温検出部の「芯温判定有効温度ｎ」℃には常温より高い温度である“５０”℃、「継続時間Ｔ」秒には“２”秒、「温度変動Δｔ」℃には“５”℃が、調理員によって設定されているものとする。また、芯温記憶部に設けられている領域“ｎ”の値は“４”であり、「芯温検出状態１〜４」には、“０，０，０，０（未使用状態）”が格納されているものとする。また、芯温管理装置３０の「芯温クリア信号１〜４」にも“０，０，０，０”が格納されているものとする。
【００４０】
ここでは、温度センサ２０によって、図８に示す温度変化が計測されるものとする。同図に示す経過時間０秒から４．２秒までは、芯温検出器１０と温度センサ２０とは電源が投入されたまま調理場に放置されている。経過時間４．２秒の時点で、調理員は、鍋の湯の中で長時間煮えている複数のジャガイモのうち、一つのジャガイモの中心部に温度センサ２０を刺したものとする。次に、調理員は、経過時間１１．５秒の時点で、温度センサ２０をジャガイモから抜いて湯の外に出したものとする。そして、調理員は、経過時間１３秒の時点で、二つ目のジャガイモの中心部に、温度センサ２０を３秒以上刺した状態にしたものとする。また、経過時間１分から２分までの間に、調理員は、三つ目のジャガイモの中心部に、温度センサ２０を３秒以上刺した状態にしたものとする。
【００４１】
また、温度センサ２０が計測する温度は、経過時間５秒の時点では９５℃、経過時間６秒の時点では１０６℃、経過時間７秒の時点では１０５℃、経過時間８秒の時点から１１．５秒までの時点では１０３℃であるものとする。
また、芯温検出器１０は、二つ目のジャガイモの芯温を１０４℃、三つ目のジャガイモの芯温を１０５℃と判定したものとする。
【００４２】
芯温検出器１０は、経過時間０秒から１秒周期で、温度センサ２０により計測された温度データを収集する。芯温検出器１０の芯温判定手段１０１は、収集された温度データに基づいて、１秒周期で、図７に示す芯温判定処理を実行する。
まず、経過時間１秒の時点では、温度センサ２０は調理場に放置されているため、温度センサ２０は常温２５℃を計測している。芯温検出器１０は、経過時間１秒後に、温度センサ２０より「芯温対象温度」“２５”℃を表す温度データを受信したときに、図７に示す芯温判定処理を実行する。具体的には、芯温判定手段１０１は、「芯温対象温度」“２５”℃と、「芯温判定有効温度ｎ」“５０”℃とを比較する（ステップＳ１０１）。ここでは、２５＜５０であって「芯温対象温度」が「芯温判定有効温度ｎ」に満たないため（ステップＳ１０１；Ｎｏ）、芯温判定手段１０１は、「判定開始温度」と「現在温度」とに「芯温対象温度」“２５”℃を設定し、かつ、「継続回数」に“０”を設定して（ステップＳ１０２）、処理を終了する。
【００４３】
経過時間２秒後〜４秒後の時点においても、芯温検出器１０は、経過時間１秒の時点における芯温判定処理と同様の処理を行うため、重複した説明を省略する。
経過時間４．２秒の時点において、調理員は、湯の中の一つのジャガイモに、温度センサ２０を突き刺す。
経過時間５秒後の時点で、芯温検出器１０は、温度センサ２０より「芯温対象温度」“９５”℃を表す温度データを受信すると、芯温判定手段１０１が芯温判定処理を実行する。まず、芯温判定手段１０１は、「芯温対象温度」“９５”℃と「芯温判定有効温度ｎ」“５０”℃とを比較する（ステップＳ１０１；Ｙｅｓ）が、ここでは、９５≧５０であるため（ステップＳ１０１；Ｙｅｓ）、「現在温度」に「芯温対象温度」“９５”℃を設定する（ステップＳ１０３）。
【００４４】
次に、芯温判定手段１０１は、「現在温度」“９５”℃が、「判定開始温度」“２５”℃から「温度変動Δｔ」“５”℃範囲内の温度であるか否かを判定する（ステップＳ１０４）。ここでは、「現在温度」“９５”℃は、「判定開始温度」“２５”℃との温度差は“７０”℃であり、「温度変動Δｔ」“５”℃の範囲を超えた温度であるため（ステップＳ１０４；Ｎｏ）、芯温判定手段１０１は、「判定開始温度」に「現在温度」“９５”℃を設定し、かつ、「継続回数」に“０”を設定して（ステップＳ１０５）、処理を終了する。
【００４５】
次に、経過時間６秒後の動作について説明する。
経過時間６秒後の時点で、芯温検出器１０は、温度センサ２０より「芯温対象温度」“１０６”℃を表す温度データを受信すると、芯温判定処理を実行する。まず、芯温判定手段１０１は、「芯温対象温度」“１０６”℃と、「芯温判定有効温度ｎ」“５０”℃とを比較する（ステップＳ１０１）が、１０６≧５０であるため（ステップＳ１０１；Ｙｅｓ）、芯温判定手段１０１は、「現在温度」に「芯温対象温度」“１０６”℃を設定する（ステップＳ１０３）。
【００４６】
次に、芯温判定手段１０１は、「現在温度」“１０６”℃が、「判定開始温度」“９５”℃に対して、「温度変動Δｔ」“５”℃範囲内の温度であるか否かを判定する（ステップＳ１０４）。ここでは、１０６℃と９５℃との温度差は１１℃であり、「温度変動Δｔ」“５”℃の範囲を超えているため（ステップＳ１０４；Ｎｏ）、芯温判定手段１０１は、「判定開始温度」に「現在温度」“１０６”℃を設定し、かつ、「継続回数」に“０”を設定して（ステップＳ１０５）、処理を終了する。
【００４７】
次に、経過時間７秒後の動作について説明する。
経過時間７秒後の時点で、芯温検出器１０は、温度センサ２０より芯温対象温度“１０５”℃を表す温度データを受信し、芯温判定処理を実行する。まず、芯温判定手段１０１は、「芯温対象温度」“１０５”℃と「芯温判定有効温度ｎ」“５０”℃とを比較し（ステップＳ１０１）、１０５≧５０であるため（ステップＳ１０１；Ｙｅｓ）、「現在温度」に「芯温対象温度」“１０５”℃を設定する（ステップＳ１０３）。
【００４８】
次に、芯温判定手段１０１は、「現在温度」“１０５”℃が、「判定開始温度」“１０６”℃に対して「温度変動Δｔ」“５”℃範囲内の温度であるか否かを判定する（ステップＳ１０４）。ここでは、１０５℃と１０６℃との温度差は１℃であり、「温度変動Δｔ」“５”℃範囲内の温度であるため（ステップＳ１０４；Ｙｅｓ）、芯温判定手段１０１は、「継続回数」“０”に“１”を加算することにより、「継続回数」を“１”とする（ステップＳ１０６）。
【００４９】
次に、芯温判定手段１０１は、「判定開始温度」“１０６”℃と「芯温判定有効温度ｎ」“５０”℃とを比較する（ステップＳ１０６）。ここでは、１０６＞５０であるため（ステップＳ１０７；Ｎｏ）、芯温判定手段１０１は、「継続回数」で表される値“１”と、芯温検出部に予め設定された「継続時間Ｔ」で表される値“２”とが一致しているか否かを判定する（ステップＳ１０８）。ここでは、一致していないため（ステップＳ１０８；Ｎｏ）、芯温判定手段１０１は処理を終了する。
【００５０】
次に、経過時間８秒後の動作について説明する。
経過時間８秒後の時点において、芯温検出器１０は、温度センサ２０より「芯温対象温度」“１０３”℃を表す温度データを受信し、芯温判定処理を実行する。まず、芯温判定手段１０１は、「芯温対象温度」“１０３”℃と「芯温判定有効温度ｎ」“５０”℃との大きさを比較し（ステップＳ１０１）、１０３≧５０であるため（ステップＳ１０１；Ｙｅｓ）、「現在温度」に「芯温対象温度」“１０３”℃を設定する（ステップＳ１０３）。
【００５１】
次に、芯温判定手段１０１は、「現在温度」“１０３”℃が、「判定開始温度」“１０６”℃に対して「温度変動Δｔ」“５”℃範囲内の温度であるか否かを判定する（ステップＳ１０４）。ここでは、１０３℃と１０６℃との温度差は３℃であり、「温度変動Δｔ」“５”℃の範囲内であるため（ステップＳ１０４；Ｙｅｓ）、芯温判定手段１０１は、「継続回数」“１”に“１”を加算することにより、「継続回数」を“２”とする（ステップＳ１０６）。
【００５２】
次に、芯温判定手段１０１は、「判定開始温度」“１０６”℃と「芯温判定有効温度ｎ」“５０”℃とを比較し（ステップＳ１０７）、１０６＞５０であるため（ステップＳ１０７；Ｎｏ）、「継続回数」で表される値“２”と予め設定された「継続時間Ｔ」で表される値“２”との大きさを比較する（ステップＳ１０８）。ここでは、「継続回数」で表される数値“２”と「継続時間Ｔ」で表される数値“２”とが一致するため（ステップＳ１０８；Ｙｅｓ）、芯温判定手段１０１は、「現在温度」“１０３”℃を芯温と判定して、芯温処理を行う（ステップＳ１０９）。
【００５３】
具体的には、芯温検出器１０は、芯温記憶部の「芯温検出状態１〜４」に格納されているビットのうち、“０（未使用状態）”であるものを検索する。ここでは、「芯温検出状態１〜４」の全てのビットが“０”であるため、芯温検出器１０は、全ての「芯温１〜４」を使用可能であると認識する。そこで、芯温検出器１０は、記憶手段１０２により、「芯温検出状態１」に対応する「芯温１」に、芯温と判定された「現在温度」“１０３”℃を格納する。そして、芯温検出器１０は、「芯温検出状態１」に“１（使用中状態）”を格納する。
【００５４】
次に、経過時間９秒後の動作について説明する。
経過時間９秒後の時点で、芯温検出器１０は、温度センサ２０より「芯温対象温度」“１０３”℃を表す温度データを受信すると、芯温判定処理を実行する。まず、芯温判定手段１０１は、「芯温対象温度」“１０３”℃と「芯温判定有効温度ｎ」“５０”℃とを比較し（ステップＳ１０１）、１０３≧５０であるため（ステップＳ１０１；Ｙｅｓ）、「現在温度」に「芯温対象温度」“１０３”℃を設定する（ステップＳ１０３）。次に、芯温判定手段１０１は、「現在温度」“１０３”℃が、「判定開始温度」“１０６”℃に対して「温度変動Δｔ」“５”℃の範囲内の温度であるか否かを判定する（ステップＳ１０４）。ここでは、１０３℃と１０６℃との温度差は３℃であるため（ステップＳ１０４；Ｙｅｓ）、芯温判定手段１０１は、「継続回数」“２”に“１”を加算することにより、「継続回数」を“３”とする（ステップＳ１０６）。
【００５５】
次に、芯温判定手段１０１は、「判定開始温度」“１０６”℃と「芯温判定有効温度ｎ」“５０”℃とを比較し（ステップＳ１０７）、１０６＞５０であるため（ステップＳ１０７；Ｎｏ）、芯温判定手段１０１は、「継続回数」で表される値“３”と、「継続時間Ｔ」で表される値“２”とを比較する（ステップＳ１０８）。ここでは、“３”と“２”とは一致しないため（ステップＳ１０８；Ｎｏ）、芯温判定手段１０１は、１秒前と同じ温度を芯温と判定しないように、処理を終了する。
【００５６】
以降、上述したように、経過時間１１．５秒までは、温度センサ２０で計測される「芯温対象温度」は、経過時間９秒の時点と同様の温度である“１０３”℃である。このため、芯温判定手段１０１は、経過時間１０秒、及び、１１秒の時点においても、経過時間９秒の時点での芯温判定処理と同様の処理を行い、芯温を検出することはない。
経過時間１１．５秒の時点において、調理員は、温度センサ２０を一つ目ジャガイモから抜いてお湯の中から出す。
【００５７】
経過時間１３秒の時点において、調理員は、温度センサ２０を、二つ目のジャガイモの中心部まで突き刺す。
以降、芯温検出器１０の芯温判定手段１０１は、上述した一つ目のジャガイモと同様の手順で芯温判定処理を行い、芯温を１０４℃と判定する。芯温検出器１０は、二つ目のジャガイモの芯温を“１０４”℃と判定した後、芯温処理を行う（ステップＳ１０９）。
【００５８】
具体的には、芯温検出器１０は、芯温記憶部の「芯温検出状態１〜４」に格納されているビットの値を確認する。ここでは、「芯温検出状態１」には“１（使用中状態）”が格納されており、それ以外の「芯温検出状態２〜４」には“０（未使用状態）”が格納されている。そこで、芯温検出器１０は、記憶手段１０２により、“０（未使用状態）”が格納されている「芯温検出状態３」に対応する「芯温３」に、芯温と判定された温度“１０４”℃を格納する。そして、芯温検出器１０は、「芯温検出状態３」に“１（使用中状態）”を格納する。
【００５９】
次に、経過時間１分後の動作について説明する。
経過時間１分の時点で、図９に示すように、芯温検出器１０は「芯温検出状態１〜４」“１，０，１，０”と「芯温１〜４」（「芯温１」“１０３”℃、「芯温３」“１０４”℃）とを含んだ芯温通知データを、送信手段１０３により芯温管理装置３０に送信する（プロセスＰ１）。
【００６０】
芯温管理装置３０は、芯温検出器１０より送信された芯温通知データを受信し、当該芯温通知データに含まれる「芯温検出状態１〜４」“１，０，１，０”のビットの値をチェックし、「芯温検出状態１〜４」が“１（使用中状態）”となっているビットに対応する「芯温ｉ」を芯温通知データより取得する。
ここでは、芯温管理装置３０は、「芯温検出状態１」と「芯温検出状態３」とに対応する「芯温１」“１０３”℃と「芯温３」“１０４”℃とを取得する。そして、芯温管理装置３０は、取得した「芯温１」“１０３”℃と「芯温３」“１０４”℃と現在時刻とを、管理データベースに格納する（プロセスＰ２）。
【００６１】
次に、経過時間１分から２分までの間に、調理員は、別のジャガイモの芯温を測定するため、三つ目のジャガイモに温度センサ２０を突き刺す。これにより、上述した手順と同様に、芯温検出器１０は芯温測定処理を行い、三つ目のジャガイモの芯温を１０５℃と判定する。
芯温検出器１０は、三つ目のジャガイモの芯温を１０５℃と判定した後、芯温処理を行う（図７のステップＳ１０９）。具体的には、芯温検出器１０は、芯温記憶部の「芯温検出状態１〜４」１，０，１，０”のうち、“０”のビットを検索する。ここでは、「芯温検出状態２」が“０”であるため、芯温検出器１０は、記憶手段１０２により、対応する「芯温２」に、芯温と判定された温度“１０５”℃を格納する。そして、芯温検出器１０は、「芯温検出状態２」に“１（使用中状態）”を格納する（図９のプロセスＰ３）。これにより、「芯温検出状態１〜４」は“１，１，１，０”となる。
【００６２】
次に、経過時間２分後の動作を説明する。
経過時間２分の時点で、芯温検出器１０は、「芯温検出状態１〜４」“１，１，１，０”と、「芯温１〜４」（「芯温１」“１０３”℃、「芯温２」“１０５”℃、「芯温３」“１０４”℃）とを含んだ芯温通知データを生成し、送信手段１０３により芯温管理装置３０に送信する（プロセスＰ４）。
【００６３】
一方、芯温管理装置３０は、プロセスＰ２において、「芯温１」と「芯温３」とを取得済であるため、「芯温クリア信号１」と「芯温クリア信号３」に“１”を格納する（プロセスＰ５）これにより、「芯温クリア信号１〜４」が“１，０，１，０”となる。そして、芯温管理装置３０は、「芯温クリア信号１〜４」“１，０，１，０”を含んだ、芯温通知データの受信が完了したことを示す完了データを生成し、当該完了データを芯温検出器１０に送信する（プロセスＰ６）。
【００６４】
次に、芯温管理装置３０は、プロセスＰ４において、芯温検出器１０より芯温通知データを受信しているため、受信した「芯温検出状態１〜４」“１，１，１，０”と、記憶部の「芯温クリア信号１〜４」“１，０，１，０”とに基づいて、「芯温クリア信号ｉ」に格納されているビットが“１”でなく（クリアされていなく）、かつ、対応する「芯温検出状態ｉ」が“１”であるｉを判定する。ここでは、芯温管理装置３０はｉ＝２と判定して、「芯温検出状態２」に対応する「芯温２」“１０５”℃を、受信した芯温通知データより取得する（プロセスＰ７）。芯温管理装置３０は、取得した「芯温２」“１０５”℃と現在時刻とを管理データベースに格納する。
【００６５】
芯温検出器１０は、プロセスＰ６において芯温管理装置３０より完了データを受信すると、クリア手段１０４により、送信済みの「芯温ｉ」に対応する「芯温検出状態信号ｉ」をクリアするための処理を行う。具体的には、クリア手段１０４は、受信した完了データに含まれる「芯温クリア信号１〜４」が“１，０，１，０”であることにより、「芯温クリア信号１」と「芯温クリア信号３」に対応する「芯温検出状態１」と「芯温検出状態３」とに “０（未使用状態）”を格納する（プロセスＰ８）。これにより、芯温記憶部の「芯温検出状態１〜４」に格納されているビットは“０，１，０，０”となる。
【００６６】
次に、経過時間３分後の動作について説明する。
芯温検出器１０は、経過時間２〜３分の間に芯温を検出してはいないが、「芯温検出状態１〜４」“０，１，０，０”と「芯温１〜４」を含んだ芯温通データを生成し、芯温管理装置３０に送信する（プロセスＰ９）。
一方、芯温管理装置３０は、プロセスＰ７において「芯温２」を取得済みであるため、芯温検出器１０の「芯温検出状態２」をクリアするために、「芯温クリア信号２」に“１”を格納する（プロセスＰ１０）。また、芯温管理装置３０は、プロセスＰ６において、送信済である芯温クリア信号を元の値に戻すために、「芯温クリア信号１」と「芯温クリア信号３」とに“０”を格納する（プロセスＰ１１）。これにより、「芯温クリア信号１〜４」は“０，１，０，０”となる。
【００６７】
芯温管理装置３０は、「芯温クリア信号１〜４」“０，１，０，０”を含んだ完了データを、芯温管理装置３０に送信する（プロセスＰ１２）。
芯温検出器１０は、当該完了データを受信すると、クリア手段１０４により、完了データに含まれる「芯温クリア信号１〜４」“０，１，０，０”において、“１”のビットに対応する「芯温検出状態２」に “０（未使用状態）”を格納する（プロセスＰ１３）。これにより、芯温記憶部の「芯温検出状態１〜４」は“０，０，０，０”となる。
【００６８】
次に、経過時間４分後の動作について説明する。
経過時間４分の時点において、芯温検出器１０は、「芯温検出状態１〜４」“０，０，０，０”と「芯温１〜４」とを含んだ芯温通知データを生成し、送信手段１０３により芯温管理装置３０に送信する（プロセスＰ１４）。
芯温管理装置３０は、当該芯温通知データを受信して、芯温通知データに含まれる「芯温検出状態１〜４」“０，０，０，０”のビットが“１”であるものを検索するが、ここでは、ビットが“１”であるものは存在しないため、「芯温ｉ」を取得しない。
【００６９】
次に、芯温管理装置３０は、プロセスＰ１２において芯温検出器１０に送信済の「芯温クリア信号２」のビットを元の値に戻すために、「芯温クリア信号２」に“０”を格納する。これにより、「芯温クリア信号１〜４」は“０，０，０，０”となる。そして、芯温管理装置３０は、「芯温クリア信号１〜４」“０，０，０，０”を含んだ完了データを、芯温管理装置３０に送信する（プロセスＰ１５）。
【００７０】
このように、１分周期で芯温検出器１０と芯温管理装置３０との間において、データの授受が繰り返されることにより、芯温管理装置３０の収集周期１分より短い間に、芯温検出器１０が芯温を複数検出しても、芯温検出器１０は複数の芯温を芯温記憶部に保持しておくことができる。芯温管理装置３０は、芯温検出器１０より正確な芯温データを取得して管理データベースに格納することにより、芯温を記録・管理することが可能となる。
【００７１】
また、温度変化Δｔ℃や継続時間Ｔ秒等の変数を、入力部より入力して設定可能とすることにより、調理の形態や食材の特性に合わせて微調整を行うことが可能となる。また、芯温検出器１０は、Δｔ℃以内の温度変動がＴ秒継続した時点で、１回だけ芯温と判定するようにしたため、温度センサ２０が食材に刺しっ放しになっていても、芯温検出器１０が連続して芯温と判定することを防止できる。
【００７２】
［３．変形例］
以上、本発明の実施形態について説明したが、本発明は係る実施形態に限定されるものではなく、その技術思想の範囲内で様々な変形が可能である。変形例としては、例えば、以下のようなものが考えられる。
（１）上述した実施形態においては、加熱した食材の芯温を測定する場合について説明したが、本発明は、加熱の場合のみに限定されず、冷却の場合にも適用することができる。また、芯温の測定対象である被測定物は、食材に限らず、例えば、粘土やゲル状の物であってもよい。
【００７３】
（２）上述した実施形態においては、Δｔ℃以内の温度変動がＴ秒継続したときに、Ｔ秒継続した時点での温度を芯温と判定するようにしたが、これに限定されず、Δｔ℃以内の温度変動がＴ秒継続している間の温度であれば、いずれの温度を芯温と判定してもよい。
具体的には、例えば、Δｔ℃以内の温度変動がＴ秒間継続している間における、最高温度、最低温度、平均温度、頻出温度のうちのいずれかを芯温と判定することができる。
【００７４】
（３）上述した実施形態においては、芯温記憶部の「芯温ｉ」を未使用の領域に戻す方法として、芯温管理装置３０より送信される完了データに含まれる「芯温クリア信号ｉ」が“１”であるものに対応する「芯温検出状態ｉ」のビットを“０”にクリアするようにしたが、「芯温ｉ」を未使用の領域に戻す方法はこれに限定されない。例えば、「芯温検出状態１〜ｎ」を使用せずに、「芯温ｉ」に未使用となったことを表すデータを格納するようにしてもよい。
【００７５】
（４）上述した実施形態においては、芯温検出器１０が温度センサ２０より温度データを収集する周期を１秒、また、芯温検出器１０と芯温管理装置３０とのデータ授受の周期を１分としたが、これに限定されることはない。これらの周期や、芯温検出部に設定する変数の値や、芯温記憶部の記憶領域の数ｎは、芯温測定対象物や、食材の特性・調理方法や、ネットワーク環境や、使用可能な資源等に応じて、最適な値を設定することができる。例えば、芯温検出器１０と芯温管理装置３０とのデータ授受の周期を、１０分等の長い時間周期とする場合には、芯温検出器１０の芯温記憶部に多くの芯温データを格納しておけるように、芯温記憶部の記憶領域ｎの数を“５０”等の大きい値にするとよい。
【００７６】
（５）上述した実施形態においては、常に芯温通知データと完了データとを１分周期で授受するようにしたが、「芯温検出状態１〜４」や「芯温クリア信号１〜４」が“０，０，０，０”である場合には、当該データを受信しても、芯温検出器１０や芯温管理装置３０は処理を行わないため、「芯温検出状態１〜４」や「芯温クリア信号１〜４」が“０，０，０，０”である場合には、芯温通知データや完了データを送信しないようにしてもよい。
（６）上述した実施形態における温度センサ２０の形状や、ネットワーク４０の種類は一例であり、これに限定されない。例えば、用途に合わせて、形状や性能の異なる温度センサ２０を芯温検出器１０に接続できるようにしてもよい。
【図面の簡単な説明】
【００７７】
【図１】本発明の実施の形態に係る芯温検出システムの構成を示すブロック図である。
【図２】同実施の形態に係る温度センサで測定される温度の時間変化を示す図である。
【図３】同実施の形態に係る温度センサで測定される温度変化の実験例を示すグラフである。
【図４】同実施の形態に係る芯温検出器に設定される変数を説明するための図である。
【図５】同実施の形態に係る芯温検出器の機能構成を説明するための図である。
【図６】同実施の形態に係る芯温検出器と芯温管理装置との間におけるデータの入出力を説明するための図である。
【図７】同実施の形態に係る芯温判定処理を説明するためのフローチャートである。
【図８】同実施の形態に係る動作を説明するための、温度センサで測定される温度と時間との関係を示すグラフである。
【図９】同実施の形態に係る芯温検出器と芯温管理装置とのデータ授受の動作を説明するための図である。
【符号の説明】
【００７８】
１        芯温測定システム
１０      芯温検出器
１０１    芯温判定手段
１０２    記憶手段
１０３    送信手段
１０４    クリア手段
２０      温度センサ
３０      芯温管理装置
４０      ネットワーク
【図１】
2005241593.tif 000003
【図２】
2005241593.tif 000004
【図３】
2005241593.tif 000005
【図４】
2005241593.tif 000006
【図５】
2005241593.tif 000007
【図６】
2005241593.tif 000008
【図７】
2005241593.tif 000009
【図８】
2005241593.tif 000010
【図９】
2005241593.tif 000011